(57)【要約】【課題】インターホン無線電話呼出通話連携システムで、電話交換システムを有効活用することにより、インターホン呼出や、異常通知の到達範囲を拡大する。【解決手段】警報監視盤１と、電話交換装置６との間には、集合住宅インターホンシステムＳ１と電話交換システムＳ２を連携させるインターホン−電話インタフェース５を介在させるとともに、住戸指定した中継発信信号を受けると、その住戸指定に対応させて、一斉呼出する対象となる複数の携帯無線端末器８の識別情報をグループ登録するグループ登録設定手段ＤＢを備えている。【選択図】図１
2007124139.tif 000002
【特許請求の範囲】
【請求項１】
セキュリティセンサを有する住戸インターホンと、ロビーインターホンから住戸指定したインターホン発信信号を受けると、対応した住戸インターホンを呼出す警報監視盤とを備えた集合住宅インターホンシステムと、複数の基地局と接続され、携帯無線端末器を指定した内線発信信号を受けると、指定された携帯無線端末器を呼出す電話交換装置を備えた電話交換システムとで構成される集合住宅インターホン電話連携システムにおいて、
上記警報監視盤と、上記電話交換装置との間には、上記集合住宅インターホンシステムと、上記電話交換システムとを連携させるインターホン−電話インタフェースを介在させるとともに、
住戸指定した中継発信信号を受けると、その住戸指定に対応させて、一斉呼出する対象となる複数の携帯無線端末器の識別情報をグループ登録するグループ登録設定手段を備えていることを特徴とする、集合住宅のインターホン無線電話呼出通話連携システム。
【請求項２】
請求項１において、
上記電話交換装置は、上記住戸指定した中継発信信号を受けたときには、その住戸指定に対応して予めグループ登録された携帯無線端末器を一斉呼出することを特徴とする、集合住宅のインターホン無線電話呼出通話連携システム。
【請求項３】
請求項１または２において、
上記電話交換装置は、上記住戸指定した中継発信信号を受けて、その住戸指定に対応して予めグループ登録された携帯無線端末器を一斉呼出した後、いずれかの携帯無線端末器が応答したときには、その一斉呼出を中止することを特徴とする、集合住宅のインターホン無線電話呼出通話連携システム。
【請求項４】
請求項３において、
上記グループ登録設定手段は、管理人の携帯無線端末器の識別情報をグループ登録しており、
上記警報監視盤は、
住戸インターホンのいずれかから異常通知信号を受けると、
その異常住戸を住戸指定した中継発信信号と、上記管理人の携帯無線端末器を一斉呼出するための中継発信信号とを上記電話交換装置へ伝送させ、かつ
警報解除操作を受けたときには、上記管理人の携帯無線端末器に対する一斉呼出のみを停止させることを特徴とする、集合住宅のインターホン電話呼出通話連携システム。
【発明の詳細な説明】
【技術分野】
【０００１】
本発明は、集合住宅で広く普及している集合住宅インターホンシステムの改良に関する。
【背景技術】
【０００２】
従来、下記特許文献１に示すようなインターホンシステムが普及している。
このインターホンシステムでは、各住戸の内線電話機同士で呼出通話を仲介する電話交換装置と、管理室の警報監視装置とを有機的に接続することによって、警報監視装置に付加接続されるロビーインターホンから各住戸の内線電話機を呼出して通話できるようにしている。
【０００３】
また、このインターホンシステムでは、電話交換装置は外線に接続されており、外線の電話機と内線電話機とで呼出通話をできるようにしている。更に、電話交換装置にはセキュリティセンサを付加接続し、センサが作動したときには電話交換装置が警報を鳴動するようにもしている。
【０００４】
また、近時においては、各住戸に設置されるインターホンにセキュリティセンサを付加接続して、センサが作動する緊急時には、インターホンが警報監視盤に異常信号を出力し、警報監視盤は、予め特定された外線の電話機を呼出して、異常を通知するシステムも開発されている。
【特許文献１】特開平２−１１３７９５号公報
【発明の開示】
【発明が解決しようとする課題】
【０００５】
しかしながら、上記のような従来のインターホン無線電話呼出通話連携システムでは、ロビーインターホンから呼出す程度でしか、内線電話機を利用しておらず、電話交換システムが有効に活用されていなかった。そこで、本発明は、電話交換システムを有効活用することによって、集合住宅でのインターホン呼出や、異常通知の到達範囲を拡大することを目的として、以下に新規な構成のインターホン無線電話呼出通話連携システムを提案する。
【課題を解決するための手段】
【０００６】
すなわち、請求項１による集合住宅のインターホン無線電話呼出通話連携システムは、セキュリティセンサを有する住戸インターホンと、ロビーインターホンから住戸指定したインターホン発信信号を受けると、対応した住戸インターホンを呼出す警報監視盤とを備えた集合住宅インターホンシステムと、複数の基地局と接続され、携帯無線端末器を指定した内線発信信号を受けると、指定された携帯無線端末器を呼出す電話交換装置を備えた電話交換システムとで構成される集合住宅インターホン電話連携システムにおいて、警報監視盤と、電話交換装置との間には、上記集合住宅インターホンシステムと、上記電話交換システムとを連携させるインターホン−電話インタフェースを介在させるとともに、住戸指定した中継呼出信号を受けると、その住戸指定に対応させて、一斉呼出する対象となる複数の携帯無線端末器の識別情報をグループ登録するグループ登録設定手段を備えている。
【０００７】
請求項２では、上記電話交換装置は、上記住戸指定した中継発信信号を受けたときには、その住戸指定に対応して予めグループ登録された携帯無線端末器を一斉呼出することを特徴とする。
【０００８】
請求項３では、上記電話交換装置は、上記住戸指定した中継発信信号を受けて、その住戸指定に対応して予めグループ登録された携帯無線端末器を一斉呼出した後、いずれかの携帯無線端末器が応答したときには、その一斉呼出を中止することを特徴とする。
【０００９】
請求項４では、上記グループ登録設定手段は、管理人の携帯無線端末器の識別情報をグループ登録しており、上記警報監視盤は、住戸インターホンのいずれかから異常通知信号を受けると、その異常住戸を住戸指定した中継発信信号と、上記管理人の携帯無線端末器を一斉呼出するための中継発信信号とを上記電話交換機へ伝送させ、かつ警報解除操作を受けたときには、上記管理人の携帯無線端末器に対する一斉呼出のみを停止させることを特徴とする。
【発明の効果】
【００１０】
請求項１〜４によれば、住戸指定した中継発信信号を受けると、その住戸指定に対応させて複数の携帯無線端末器を一斉呼出するので、内線の呼出先が拡大される。具体的には、呼出された住戸の住戸人が室外にいる場合でも、所有している携帯無線端末器が呼出され、呼出元と通話をすることができる。また、その際には、集合住宅に設置した電話交換装置による内線通話を利用しているので、特別な通話料金が発生することもない。
【００１１】
特に請求項３によれば、電話交換装置は、中継発信信号を受けて、住戸に対応してグループ登録した携帯無線端末器を一斉に呼出した後、いずれかの携帯無線端末器が応答したときには、一斉呼出を停止するので、他の携帯無線端末器で呼出音が鳴動され続けるという不都合を回避できる。
【００１２】
特に請求項４では、警報監視盤は、住戸インターホンのいずれかから異常通知信号を受けると、その異常住戸を住戸指定した中継発信信号を電話交換機へ伝送させ、住戸に対応してグループ登録した端末器を一斉呼出させるので、住戸の住戸人が室外にいる場合でも、確実に異常を通知できるようになり、異常通知の到達範囲が拡大される。また、警報解除操作を受けたときには、管理人の携帯電話端末器に対する呼出をのみを中止し、住戸人の携帯無線端末器の呼出は継続するので、住戸人に異常を確実に通知することができる。
【発明を実施するための最良の形態】
【００１３】
以下に、本発明の実施の形態について説明する。
【実施例１】
【００１４】
図１は、本発明システムの基本構成の一例を示すブロック図である。
本発明では、集合住宅インターホンシステムＳ１と電話交換システムＳ２とを組み合わせて集合住宅インターホン電話連携システムＳを構成する。
【００１５】
集合住宅インターホンシステムＳ１は、警報監視盤１に、ロビーインターホン２と、管理人用インターホン３と、セキュリティセンサＵを付加接続した各住戸インターホン４とを多重伝送線を通じて接続した構成とされ、警報監視盤１は、ロビーインターホン２から住戸指定したインターホン発信信号を受けたときには、対応した住戸インターホン４を呼出制御する一方、住戸インターホン４から異常通知信号を受けたときには、その異常住戸を判別し、管理人用インターホン３を呼出して、異常表示し、警報を出力させる異常監視機能を有している。なお、管理人用インターホン３と、各住戸インターホン４の任意の２者の間についても呼出制御できるようにしていてもよい。
【００１６】
一方、電話交換システムＳ２は、内線通話を中継する電話交換装置６と、この電話交換装置６に接続され、住棟非居住部の複数箇所に設置される無線基地局７と、各住戸人が所有する携帯無線端末器８とで構成され、各携帯無線端末器８同士の内線通話以外に、電話網Ｎを介した外線通話も可能であり、また、電話交換システムＳ２に、各住戸の電話機を収容するようにしてもよい。その場合には、各住戸の電話機にも、携帯無線端末器８と同様の機能が提供されるようになる。
【００１７】
より詳細に説明すると、電話交換装置６は、携帯無線端末器８の内線番号を指定した内線発信信号を受けたときには、指定された携帯無線端末器８を呼出す個別呼出機能と、グループ番号を指定した内線グループ発信信号（中継発信信号）を受けたときには、そのグループに所属する携帯無線端末器８を一斉呼出するグループ呼出機能とを備えている。このグループ呼出機能のために、グループ登録設定手段となるデータベースＤＢが設けられており、内線グループ発信信号で指定されるグループ番号に対応させて、呼出対象となる複数の携帯無線端末器８の内線番号を予め登録している。運営上の観点からは、住戸指定（住戸番号等）をグループ番号と一致させておき、そのグループ番号を指定した内線グループ発信信号（中継発信信号）を受けると、そのグループ番号に対応させて、一斉呼出しを行う対象となる複数の携帯無線端末器の内線番号（識別情報）をグループ登録することが望ましいが、更に、警報監視盤１に対しても１グループを設けて、各管理人が所有する携帯無線端末器８を一斉呼出するようにしてもよい。
【００１８】
図２は、電話交換装置６の内部構成の一例を示すブロック図である。
この電話交換装置６は、デジタル通信信号を任意に交換接続する交換回路６０と、基地局７や、インターホン−電話インタフェース５を通話線で接続する端子Ｔを備えたライン回路６１と、ライン回路６１で送受される通信信号のインタフェースを構成する信号処理回路６１と、この電話交換装置６を制御する制御回路６２とを備え、この制御回路６２は、データベースＤＢを必要に応じて参照する。
【００１９】
警報監視盤１と、電話交換装置６との間には、集合住宅インターホンシステムＳ１と、電話交換システムＳ２とを連携させるインターホン−電話インタフェース５が介在している。このインターホン−電話インタフェース５は、ロビーインターホン２、管理人用インターホン３、各住戸インターホン４に割り当てた、電話交換装置６が認識する内線番号と、グループ番号と、インターホン２、３、４を呼出すための住戸指定との対応関係を図示しないデータベースに記憶しており、電話交換装置６から、それらの内線番号を指定した内線呼出信号を受けると、対応したインターホン２、３、４を呼出すインターホン発信信号に変換して警報監視盤１に伝送する一方、警報監視盤１がインターホン２、３、４のいずれかを住戸指定したインターホン呼出信号を出力すると、その住戸指定を判別して対応した内線グループ発信信号（中継発信信号）に変換し、電話交換装置８に伝送する機能を有し、システムＳ１とＳ２との間で通話が可能になるようにプロトコル変換も行う。
【００２０】
従って、ロビーインターホン２、管理人用インターホン３、各住戸インターホン４を、各携帯無線端末器８と同様に、データベースＤＢで対応するグループに所属するように登録しておけば、電話交換装置６が内線グループ発信信号（中継発信信号）を受けた際に、それらも呼出すことができる。
【００２１】
なお、電話交換システムＳ２は、ＩＳＤＮなどのデジタル通信網によって実現し、携帯無線端末器８には、ＩＳＤＮと親和性が高いＰＨＳを採用してもよい。そうした場合、１住戸のグループに所属するＰＨＳの全てに、その住戸の住戸番号をサブアドレスとして割り当てれば、それがグループ番号になる。一例を説明すると、１０１号室の住戸人が所有するＰＨＳの全てに、サブアドレス「１０１」を割り当てた場合には、ＩＳＤＮによる内線グループ発信信号「０＊１０１」により、そのサブアドレスが割り当てられたＰＨＳを一斉に呼出すことができる。また、この場合には、インターホン−電話インタフェース５は、ＩＳＤＮインタフェースとして構成され、通話線によって電話交換装置６に接続される。
【００２２】
更に、ＩＳＤＮナンバーディスプレイ機能を利用すれば、発信者番号通知が容易に実現できるので、各ＰＨＳや、インターホン２、３、４に、発信者番号となるサブアドレスに対応させて、住戸番号や、管理人室などの判りやすい語句を予め登録しておけば、呼出されたときに、それらを表示することもできる。しかしながら、電話交換システムＳ２は、ＩＳＤＮによるものだけなく、ＩＰ電話を用いたものとしてもよい。
【００２３】
図３は、データベースＤＢのグループ登録テーブルの構成を示す図である。
このテーブルでは、住戸の識別情報（住戸指定）をグループ番号として、各住戸のグループを構成し、それに所属する携帯無線端末器８等の内線番号（外線番号も含む）を登録している。
【００２４】
より具体的に説明すると、１０１号室のグループには、内線番号「１０１０」の１０１号室住戸インターホン４、内線番号「１０１１」の父所有携帯無線端末器８、内線番号「１０１２」の母所有携帯無線端末器８、外線番号「０９０−３３２６−３５９５」の父所有携帯電話が所属し、グループ番号「１０１」が割り付けられている。１０２号室のグループも同様である。
【００２５】
警報監視盤１のグループには、内線番号「０２１０」の管理人用インターホン３、内線番号「０２１１」の管理人Ａ所有ＰＨＳ、内線番号「０２１２」の管理人Ｂ所有ＰＨＳが所属し、グループ番号「０２１」が割り付けられている。更に、管理会社のグループには、外線番号「０６−６９０９−０８７３」の管理会社外線だけが所属し、グループ番号「０２３」が割り付けられている。
【００２６】
以下、集合住宅インターホン電話連携システムＳの基本動作について説明する。
図４は、その基本動作の一例を示すフローチャートで、ロビーインターホン２が特定住戸のインターホン４を呼出す際の動作を示している。
【００２７】
このフローチャートによれば、警報監視盤１は、ロビーインターホン２から住戸指定したインターホン発信信号を受けると、その住戸指定を判別し、対応する住戸インターホン４を呼出す。そのインターホン呼出信号は、インターホン−電話インタフェース５によって、対応する内線グループ発信信号（中継発信信号）に変換され、電話交換装置６に伝送される。呼出先の住戸インターホン４が応答したときには、警報監視盤１は、呼出中止信号をインターホン−電話インタフェース５に対して出力し、電話交換装置６へ伝送させる。ところが、呼出先の住戸インターホン４が応答せず、インターホン−電話インタフェース５を通じて、電話交換装置６から呼出応答信号を受信すると、内線グループ発信信号（中継発信信号）に応じて呼出された携帯無線端末器８のいずれかとの通話路を形成する（ステップ１００〜１０６）。
【００２８】
一方、電話交換装置６は、インターホン−電話インタフェース５から内線グループ発信信号（中継発信信号）を受けると、そこに含まれるグループ番号を用いてデータベースＤＢを参照して、呼出すべき携帯無線端末器８の内線番号を取得し、そのグループに所属する全ての携帯無線端末器８を一斉呼出する。そして、呼出した携帯無線端末器８のいずれかが応答すれば、その呼出を停止し、更に、呼出応答信号をインターホン−電話インタフェース５に対して出力して、警報監視盤１へ伝送させる。なお、ロビーインターホン２だけではなく、ある住戸インターホン４が別の住戸インターホン４を呼出したときにも同様の動作がなされる（ステップ２００〜２０６）。
なお、携帯無線端末器８を呼びだした際には、ナンバーディスプレイサービスによって、呼出元の電話番号を表示するようにしてもよい。
【００２９】
図５は、別の基本動作の一例を示すフローチャートで、携帯無線端末器８から特定の住戸インターホン４を呼出した際の動作を示している。
【００３０】
このフローチャートによれば、電話交換装置６は、携帯無線端末器８から住戸指定した発信信号、つまり内線グループ発信信号を受けると、そこに含まれるグループ番号を用いてデータベースＤＢを参照して、呼出すべき携帯無線端末器８等の内線番号を取得し、そのグループに所属する全ての携帯無線端末器８等を呼出す。その際に出力される内線呼出信号のうち、その住戸インターホン４に割り当てられた内線番号を含むものは、インターホン−電話インタフェース５によって、対応するインターホン発信信号（中継発信信号）に変換されて、警報監視盤１に伝送される。そして、呼出した携帯無線端末器８のいずれかが応答したときには、呼出中止信号をインターホン−電話インタフェース５に出力し、警報監視盤１へ伝送させる。また、インターホン−電話インタフェース５を通じて、警報監視盤１からの呼出応答信号を受信すると、応答した住戸インターホン４との通話路を形成する（ステップ４００〜４０６）。
【００３１】
一方、警報監視盤１は、インターホン−電話インタフェース５が変換したインターホン発信信号を受信すると、そこに含まれる住戸指定を判別して、対応した住戸インターホン４を呼出す。呼出した住戸インターホン４が応答すれば、呼出応答信号をインターホン−電話インタフェース５に対して出力して、電話交換装置６へ伝送させる。しかし、インターホン−電話インタフェース５から呼出中止信号が伝送されてくると、その住戸インターホン４の呼出を中止する（ステップ３００〜３０５）。
【００３２】
図６は、更に別の基本動作を示すフローチャートで、特定住戸で異常が発生したときに、関連する通知先に異常通知する処理を示している。
【００３３】
このフローチャートによれば、警報監視盤１は、ある住戸インターホン４から異常通知信号を受けると、その異常住戸を判別する。そして、管理人用インターホン３を呼出して、異常表示し警報を出力させる。このインターホン呼出信号は、インターホン−電話インタフェース５によって管理人グループを呼出す内線グループ発信信号（中継発信信号）に変換され、電話交換装置６へ伝送される。更に、異常住戸を住戸指定したインターホン呼出信号も、インターホン−電話インタフェース５によって、異常住戸のグループを呼出すグループ発信信号（中継発信信号）に変換され、電話交換装置６に伝送される。なお、更に、管理会社のグループを呼出すための内線グループ発信信号を電話交換装置６に伝送するようにしておいても構わない。その後、管理人用インターホン３で警報解除操作がされたときには、警報監視盤１はこれを検出して警報を停止させ、管理人グループに関する呼出中止信号をインターホン−電話インタフェース５に出力し、電話交換装置６へ伝送させる。インターホン−電話インタフェース５を通じて、電話交換装置６から、管理人が所有する携帯無線端末器８に関する呼出応答信号を受信したときにも、警報出力を中止させる（ステップ５００〜５０８）。
【００３４】
一方、電話交換装置６は、インターホン−電話インタフェース５が変換した管理人グループを呼出すグループ発信信号（中継発信信号）を受けると、そこに含まれているグループ番号を用いてデータベースＤＢを参照して管理人の携帯無線端末器８の内線番号を取得し、その携帯無線端末器８を呼出す。また、インターホン−電話インタフェース５から異常住戸のグループを呼出すグループ発信信号（中継発信信号）を受けると、同様に、その住戸のグループに所属する携帯無線端末器８を呼出す。その後、管理人の携帯無線端末器８から応答があれば、管理人が所有する携帯無線端末器８に関する呼出応答信号を、インターホン−電話インタフェース５に対して出力し、警報監視盤１へ伝送させる。なお、異常住戸のグループに所属する携帯無線端末器８に対する呼出は、応答がなければ、少なくともタイムアップするまで継続させるようにしておくことが望ましい（ステップ６００〜６１０）。また、呼び出し先の携帯無線端末器８には、ナンバーディスプレイサービスを使用し、呼出元の電話番号を表示し、また、電話番号とともに、異常発生の種別を示す番号や、異常の内容を表示するようにしてもよい。
【図面の簡単な説明】
【００３５】
【図１】本発明システムの基本構成の一例を示すブロック図
【図２】電話交換装置の内部構成の一例を示すブロック図
【図３】呼出グループ登録設定テーブルの構成の一例を示す図
【図４】本発明システムの基本動作の一例を示すフローチャート
【図５】本発明システムの基本動作の他例を示すフローチャート
【図６】本発明システムの基本動作の更に他例を示すフローチャート
【符号の説明】
【００３６】
１    警報監視盤
２    ロビーインターホン
４    住戸インターホン
５    インターホン−電話インタフェース
６    電話交換装置
７    基地局
８    携帯無線端末器
ＤＢ  データベース（グループ登録設定手段）
Ｓ    集合住宅インターホン電話連携システム
Ｓ１  集合住宅インターホンシステム
Ｓ２  電話交換システム
Ｕ    セキュリティセンサ
【図１】
2007124139.tif 000003
【図２】
2007124139.tif 000004
【図３】
2007124139.tif 000005
【図４】
2007124139.tif 000006
【図５】
2007124139.tif 000007
【図６】
2007124139.tif 000008